(57)【要約】【課題】本発明は、複数の密閉された部屋に分割した真空断熱材において、厚さ方向の力に対して補強材を設け断熱効果が高い真空断熱材を提供することを目的としている。【解決手段】本発明の真空断熱材１構成は、芯材部３間の隙間部で形成される凹部隙間部５の一部あるいは全域に樹脂或いは金属等の補強骨格部材６を配設してある。そして、真空断熱材は厚さ方向の力に対して弱く力がかかるとつぶれてしまい、断熱効果が充分に得られない心配があるが、芯材部３間の隙間部で形成される凹部隙間部５の一部あるいは全域に樹脂或いは金属等の補強骨格部材６を配設してあるので、補強骨格部材６で厚さ方向の力に対して保持できるようになり、つぶれて断熱効果が得られないことを防止できるようになる。【選択図】図１
2006291992.tif 000002
【特許請求の範囲】
【請求項１】
基材部の上に複数からなる芯材部を配設し、上記複数からなる芯材部をラミネートフィルムで覆い、同一平面上の独立空間に真空密封した凸部を形成する芯材部と芯材部間で形成される凹部隙間部を有する真空断熱材において、芯材部間で形成される凹部隙間部の一部あるいは全域に樹脂或いは金属等の補強骨格部材を配設したことを特徴とする真空断熱材構成。
【請求項２】
芯材部間で形成される凹部隙間部の一部あるいは全域に樹脂或いは金属等の補強骨格部材を配設するとともに、補強骨格部材の一部に固定用の磁石等の固定手段部を配設したことを特徴とする請求項１記載の真空断熱材構成。
【請求項３】
芯材部間で形成される凹部隙間部の一部あるいは全域に樹脂或いは金属等の補強骨格部材を配設するとともに、補強骨格部材の一部に真空断熱材を複数枚重ね固定する断熱材固定手段部を配設したことを特徴とする請求項１〜２記載のいずれか１項記載の真空断熱材構成。
【請求項４】
芯材部間で形成される凹部隙間部の一部あるいは全域に樹脂或いは金属等の補強骨格部材を配設するとともに、補強骨格部材の外周に保護材を配設したことを特徴とする請求項１〜３記載のいずれか１項記載の真空断熱材構成。
【発明の詳細な説明】
【技術分野】
【０００１】
本発明は、カーペットや電気温水器の放熱低減させる断熱で機器の効率向上をさせる等のために用いる真空断熱材構成に関するものである。
【背景技術】
【０００２】
従来の真空断熱材は、芯材部が外被材中に封入された低真空状態である密封体よりなり、密封体が複数の密閉された部屋に分割されていることを特徴とする真空断熱材であった（例えば、特許文献１参照）。
【０００３】
このような真空断熱材は図２に示すように、芯材部２１を外被材２２で覆い密封体とし、熱溶着部２３を多数持つことにより、密封体が複数の密閉された部屋に分割されていることを特徴とし、密閉された部屋の間には多数の隙間が存在する。
【０００４】
このような真空断熱材は多数の小さな部屋で構成されていることにより、部屋と部屋の間で切断が可能であるため、断熱材としての寸法調整が容易に行える。
【０００５】
また、一箇所の部屋の真空がリークしても、そのリークは他の箇所に及ばないため、耐久性能が向上し、また、真空断熱材を釘等によって簡便で安価な方法により固定することができるようになる。
【特許文献１】特開平７−１３９６９０号公報
【発明の開示】
【発明が解決しようとする課題】
【０００６】
しかしながら、真空断熱材を全体として考えた場合、芯材部２１が入っていない隙間部が多数存在し、テーブルの足など上にものを載せると傾いたり、厚さ方向の力に対して弱く力がかかるとつぶれてしまい、断熱効果が充分に得られない課題があった。
【０００７】
本発明は、上記従来の課題を解決するもので、複数の密閉された部屋に分割した真空断熱材において、厚さ方向の力に対して補強材を設け断熱効果が高い真空断熱材を提供するものである。
【課題を解決するための手段】
【０００８】
前記従来の課題を解決するために、本発明の芯材部間で形成される凹部隙間部の一部あるいは全域に樹脂或いは金属等の補強骨格部材を配設してある。
【発明の効果】
【０００９】
本発明の真空断熱材構成は、芯材部間で形成される凹部隙間部の一部あるいは全域に樹脂或いは金属等の補強骨格部材を配設してあるので、補強骨格部材を配設してあるので、補強骨格部材で厚さ方向の力に対して保持できるようになり、つぶれて断熱効果が得られないことを防止できるようになる。
【発明を実施するための最良の形態】
【００１０】
本発明の真空断熱材構成は、基材部の上に複数からなる芯材部を配設し、上記複数からなる芯材部をラミネートフィルムで覆い、同一平面上の独立空間に真空密封した凸部を形成する芯材部と芯材部間で形成される凹部隙間部を有する真空断熱材において、芯材部間で形成される凹部隙間部の一部あるいは全域に樹脂或いは金属等の補強骨格部材を配設してある。
【００１１】
そして、真空断熱材は厚さ方向の力に対して弱く力がかかるとつぶれてしまい、断熱効果が充分に得られない心配があるが、芯材部間で形成される凹部隙間部の一部あるいは全域に樹脂或いは金属等の補強骨格部材を配設してあるので、補強骨格部材で厚さ方向の力に対して保持できるようになり、つぶれて断熱効果が得られないことを防止できるようになる。
【００１２】
第２の発明は、特に第１の発明において、芯材部間で形成される凹部隙間部の一部あるいは全域に樹脂或いは金属等の補強骨格部材を配設するとともに、補強骨格部材の一部に固定用の磁石等の固定手段部を配設してある。
【００１３】
そして、第１の発明の効果に加え、補強骨格部材の一部に固定用の磁石等の断熱材固定手段部によって、相手側の被断熱物に容易に取り付けられ、施工性が向上するとともに、真空断熱材を固定するための釘打ち等をする必要がなくなり、釘打ち等による、真空断熱材の損傷を防止できるようになる。
【００１４】
第３の発明は、特に第１の発明において、芯材部間で形成される凹部隙間部の一部あるいは全域に樹脂或いは金属等の補強骨格部材を配設するとともに、補強骨格部材の一部に真空断熱材を複数枚重ね固定する断熱材固定手段部を配設してある。
【００１５】
そして、第１の発明の効果に加え、補強骨格部材の一部に真空断熱材を複数枚重ね固定する断熱材固定手段部によって、真空断熱材を複数枚重ね容易に固定することができるようになり、簡単になり、安価に構成できるようになり、真空断熱材を複数枚重ねることで、芯材部の被覆率を高くして、断熱効果が高い真空断熱材が得られるようになる。
【００１６】
第４の発明は、特に第１の発明において、芯材部間で形成される凹部隙間部の一部あるいは全域に樹脂或いは金属等の補強骨格部材を配設するとともに、補強骨格部材の外周に保護材を配設してある。
【００１７】
そして、第１の発明の効果に加え、補強骨格部材の外周に保護材を配設してあるので、平面が保てるようになり、テーブルの足など上にものを載せることができ、また、保護材で外周からの力が直接真空断熱材に加わらなくなり、さらに、外周からの局部的な力が保護材で分散して、局部的な力による真空断熱材の損傷を低減でき、耐久性を向上させることができるようになる。
【００１８】
以下、本発明の実施の形態について、図面を参照しながら説明する。なお、この実施の形態によって本発明が限定されるものではない。
【００１９】
（実施の形態１）
図１は、本発明の実施の形態１における真空断熱材の概略構成を示す平面図、図１Ａは同真空断熱材のＡ部断面図、図１Ｂは同真空断熱材のＢ部断面図である。
【００２０】
図１、図１Ａ、図１Ｂに示すように、真空断熱材１は、基材部２の上に複数からなる芯材部３を配設し、上記複数からなる芯材部３をラミネートフィルム４で覆い、同一平面上の独立空間に真空密封した凸部を形成する芯材部２と芯材部２間の隙間部で形成される凹部隙間部５を有している。
【００２１】
また、芯材部３間の隙間部で形成される凹部隙間部５の一部あるいは全域に樹脂製の補強骨格部材６を配設し、補強骨格部材６の一部に固定用の磁石の固定手段部７を配設するとともに、真空断熱材１を複数枚重ね固定する断熱材固定手段部８を配設してあり、断熱材固定手段部８で複数枚重ね固定された真空断熱材１の最外周には保護材９が設けてある。
【００２２】
この真空断熱材１は複数の密閉された部屋に分割してあるので、一箇所の部屋の真空がリークしても、そのリークは他の箇所に及ばないため、耐久性能が向上するようになる。
【００２３】
ここで、芯材部３としては、ポリスチレンやポリウレタンなどのポリマー材料の連通気泡体や、無機および有機の粉末、無機および有機の繊維材料などが利用できる。
【００２４】
その中でも、凝集シリカ粉末，発泡パーライト粉砕粉末，珪藻土粉末，珪酸カルシウム粉末，炭酸カルシウム粉末，クレーおよびタルクなどの無機粉末や、グラスウール，セラミックファイバーなどの無機繊維が好ましく、その中でも二次凝集粒子径が２０μｍ以下の無機粉末が望ましい。
【００２５】
また、ラミネートフィルムである外被材は表面保護層には、ナイロンフィルム，ポリエチレンテレフタレートフィルム，ポリプロピレンなどの延伸加工品、ガスバリア層に、金属蒸着フィルム，無機質蒸着フィルムおよび金属箔など、熱溶着層には、低密度ポリエチレンフィルム，高密度ポリエチレンフィルム，エチレン・ビニルアルコール共重合体樹脂フィルム，ポリプロピレンフィルム，ポリアクリロニトリルフィルムおよび無延伸ポリエチレンテレフタレートフィルムなどが使用可能である。
【００２６】
そして、真空断熱材１は厚さ方向の力に対して弱く力がかかるとつぶれてしまい、断熱効果が充分に得られない心配があるが、芯材部３間の隙間部で形成される凹部隙間部５の一部あるいは全域に樹脂或いは金属等の補強骨格部材６を配設してあるので、補強骨格部材６で厚さ方向の力に対して保持できるようになり、つぶれて断熱効果が得られないことを防止できるようになる。
【００２７】
また、補強骨格部材６の一部に固定用の磁石等の断熱材固定手段部８によって、相手側の被断熱物に容易に取り付けられ、施工性が向上するとともに、真空断熱材１を固定するための釘打ち等をする必要がなくなり、釘打ち等による、真空断熱材１の損傷を防止できるようになる。
【００２８】
さらに補強骨格部材６の一部に真空断熱材１を複数枚重ね固定する断熱材固定手段部８によって、真空断熱材１を複数枚重ね容易に固定することができるようになり、簡単になり、安価に構成できるようになる。
【００２９】
そしてまた、断熱材固定手段部８で複数枚重ね固定された真空断熱材１の最外周にには保護材９が設けてあるので、平面が保てるようになり、テーブルの足など上にものを載せることができ、保護材９で外周からの力が直接真空断熱材１に加わらなくなり、さらに、外周からの力が保護材９で分散して、局部的な力による真空断熱材１の損傷を防止できるようになる。
【００３０】
なお、本発明の実施例は、基材部２の片側に芯材部３の凸部を設けた構成で説明したがこれは基材部２の両面に芯材部３の凸部を設けた構成にしてもよく、また、真空断熱材１を複数枚重ねて真空断熱材１の芯材部３が同一平面上に位置させる構成ははじめから組み合わせたものを供給しても、個別に供給して後から組み合わせるようにしてもよく、その他各部の構成も本発明の目的を達成する範囲であれば、その構成はどのようなものであってよい。
【産業上の利用可能性】
【００３１】
以上のように、本発明による真空断熱材１は、厚さ方向の力に対して補強材を設け断熱効果が高い真空断熱材１が得られ、カーペットや電気温水器の断熱材等の用途にも適用できる。
【図面の簡単な説明】
【００３２】
【図１】本発明の実施の形態１における真空断熱材の概略構成を示す平面図
【図１Ａ】同真空断熱材のＡ部断面図
【図１Ｂ】同真空断熱材のＢ部断面図
【図２】従来の実施例における概略構成を示す図
【符号の説明】
【００３３】
１  真空断熱材
２  基材部
３  芯材部
４  ラミネートフィルム
５  凹部隙間部
６  補強骨格部材
７  固定手段部
８  断熱材固定手段部
９  保護材
【図１】
2006291992.tif 000003
【図１Ａ】
2006291992.tif 000004
【図１Ｂ】
2006291992.tif 000005
【図２】
2006291992.tif 000006